(57)【要約】【課題】本発明は、従来にない作用効果を発揮する画期的な雪の処理方法及び雪処理具を提供することを目的とする。【解決手段】芝生１を覆うように積もった雪２の処理方法であって、前記雪２が積もった芝生領域Ｌに、下面部に多数の突起３を設けた面状体４を移動車５で牽引して引き摺り移動させ、積もった雪２によって倒れている前記芝生１を前記突起３で掻き起こし、前記芝生１を覆っていた前記雪２を前記芝生１の根元側へ落とし、前記芝生１の先端部を露出させる雪の処理方法である。【選択図】図１
2014198977.tif 000002
【特許請求の範囲】
【請求項１】
芝生を覆うように積もった雪の処理方法であって、前記雪が積もった芝生領域に、下面部に多数の突起を設けた面状体を移動車で牽引して引き摺り移動させ、積もった雪によって倒れている前記芝生を前記突起で掻き起こし、前記芝生を覆っていた前記雪を前記芝生の根元側へ落とし、前記芝生の先端部を露出させることを特徴とする雪の処理方法。
【請求項２】
請求項１記載の雪の処理方法において、前記面状体の牽引移動方向の先端部に設けられる突起の高さは、後端部に設けられる突起の高さよりも高く設定されていることを特徴とする雪の処理方法。
【請求項３】
請求項１，２いずれか１項に記載の雪の処理方法において、前記面状体には上下面に貫通する孔部が多数設けられていることを特徴とする雪の処理方法。
【請求項４】
請求項１〜３いずれか１項に記載の雪の処理方法において、前記面状体は合成樹脂製であることを特徴とする雪の処理方法。
【請求項５】
請求項１〜４いずれか１項に記載の雪の処理方法において、前記芝生領域はゴルフ場の芝生領域であることを特徴とする雪の処理方法。
【請求項６】
請求項１〜５いずれか１項に記載の雪の処理方法において、処理する前記雪は、積雪深さ約５ｃｍ以下であることを特徴とする雪の処理方法。
【請求項７】
芝生を覆うように積もった雪を処理するため雪処理具であって、この雪処理具は、移動車に連結する連結部を有し、前記連結部で前記移動車に連結した状態で該移動車により牽引して引き摺り移動される面状体であり、この面状体の下面部には多数の突起が設けられ、前記移動車で前記面状体を牽引して引き摺り移動させた際、前記突起が積もった雪によって倒れている前記芝生を掻き起こし、前記芝生を覆っていた前記雪を前記芝生の根元側へ落とし、前記芝生の先端部を露出させるように構成されていることを特徴とする雪処理具。
【請求項８】
請求項７記載の雪処理具において、前記面状体の牽引移動方向の先端部に設けられる突起の高さは、後端部に設けられる突起の高さよりも高く設定されていることを特徴とする雪処理具。
【請求項９】
請求項７，８いずれか１項に記載の雪処理具において、前記面状体には上下面に貫通する孔部が多数設けられていることを特徴とする雪処理具。
【発明の詳細な説明】
【技術分野】
【０００１】
本発明は、雪の処理方法及び雪処理具に関するものである。
【背景技術】
【０００２】
芝生が植生されたスポーツ施設の芝生領域、例えばゴルフ場のフェアウェーは、積雪があるとプレーできない。従って、比較的降雪量の多い地域（降雪地域）のゴルフ場は、数十ｃｍから数ｍの積雪がある冬の数か月間はクローズとなる。
【０００３】
ところで、前述した降雪地域は勿論、比較的降雪量の少ない非降雪地域においても、オープン期間中に突然、深夜から早朝にかけて数ｃｍの雪が薄く積もることがあり、ゴルフ場はこの突然の降雪に対して次のような対策をとっている。
【０００４】
例えば融雪剤を撒いたり散水設備から水を撒く対策などがある。しかし、融雪剤を撒いた場合は解けるまでに時間が掛かってしまい、一方、水を撒いた場合には氷点下時では逆に氷層化してしまい、いずれも確実な対策とはなっておらず、しかも、特に融雪剤をコース全体に撒くとなるとコスト高である。
【０００５】
そこで、従来においても、芝生を覆うように積もった雪を処理するためのものとして、例えば特開平７−１８０１２４号のような除雪装置（以下、従来例）が提案されている。
【０００６】
この従来例は、移動車で牽引するもので周面にスパイクを突設したドラム状の回転体と、この回転体に着いた雪をタンクに回収して移動車の排気ガス熱で溶融する溶融装置とを有するものであり、回転体を移動車で牽引して雪上を回転させることで芝生上の雪をはがし、この回転体に着いた雪をタンクに回収し、このタンクに回収した雪を排気ガス熱で溶融し、この溶融して出来た水を散水するものである。
【０００７】
従って、従来例は、芝生上の雪を強制的にはがして溶融するものであるから、前述した融雪剤や水を撒く場合に比して綺麗に且つ迅速に処理できると期待される。
【先行技術文献】
【特許文献】
【０００８】
【特許文献１】特開平７−１８０１２４号公報
【発明の概要】
【発明が解決しようとする課題】
【０００９】
しかしながら、実際には、従来例は、回収される多量の雪を移動車の排気ガス熱で素早く解かすことができず、よって、ゴルフ場のコース全体を処理する為には時間が掛かっているのが現状である。
【００１０】
本発明は、前述した問題点を解決する従来にない作用効果を発揮する画期的な雪の処理方法及び雪処理具を提供する。
【課題を解決するための手段】
【００１１】
添付図面を参照して本発明の要旨を説明する。
【００１２】
芝生１を覆うように積もった雪２の処理方法であって、前記雪２が積もった芝生領域Ｌに、下面部に多数の突起３を設けた面状体４を移動車５で牽引して引き摺り移動させ、積もった雪２によって倒れている前記芝生１を前記突起３で掻き起こし、前記芝生１を覆っていた前記雪２を前記芝生１の根元側へ落とし、前記芝生１の先端部を露出させることを特徴とする雪の処理方法に係るものである。
【００１３】
また、請求項１記載の雪の処理方法において、前記面状体４の牽引移動方向の先端部に設けられる突起３の高さは、後端部に設けられる突起３の高さよりも高く設定されていることを特徴とする雪の処理方法に係るものである。
【００１４】
また、請求項１，２いずれか１項に記載の雪の処理方法において、前記面状体４には上下面に貫通する孔部６が多数設けられていることを特徴とする雪の処理方法に係るものである。
【００１５】
また、請求項１〜３いずれか１項に記載の雪の処理方法において、前記面状体４は合成樹脂製であることを特徴とする雪の処理方法に係るものである。
【００１６】
また、請求項１〜４いずれか１項に記載の雪の処理方法において、前記芝生領域Ｌはゴルフ場の芝生領域Ｌであることを特徴とする雪の処理方法に係るものである。
【００１７】
また、請求項１〜５いずれか１項に記載の雪の処理方法において、処理する前記雪２は、積雪深さ約５ｃｍ以下であることを特徴とする雪の処理方法に係るものである。
【００１８】
また、芝生１を覆うように積もった雪２を処理するため雪処理具であって、この雪処理具は、移動車５に連結する連結部７を有し、前記連結部７で前記移動車５に連結した状態で該移動車５により牽引して引き摺り移動される面状体４であり、この面状体４の下面部には多数の突起３が設けられ、前記移動車５で前記面状体４を牽引して引き摺り移動させた際、前記突起３が積もった雪２によって倒れている前記芝生１を掻き起こし、前記芝生１を覆っていた前記雪２を前記芝生１の根元側へ落とし、前記芝生１の先端部を露出させるように構成されていることを特徴とする雪処理具に係るものである。
【００１９】
また、請求項７記載の雪処理具において、前記面状体４の牽引移動方向の先端部に設けられる突起３の高さは、後端部に設けられる突起３の高さよりも高く設定されていることを特徴とする雪処理具に係るものである。
【００２０】
また、請求項７，８いずれか１項に記載の雪処理具において、前記面状体４には上下面に貫通する孔部６が多数設けられていることを特徴とする雪処理具に係るものである。
【発明の効果】
【００２１】
本発明は上述のようにしたから、芝生を覆うように積もった雪を簡易且つ迅速に処理することができるなど、従来にない作用効果を発揮する画期的な雪の処理方法及び雪処理具となる。
【図面の簡単な説明】
【００２２】
【図１】本実施例の実施状態を示す説明図である。
【図２】本実施例を示す斜視図である。
【図３】本実施例の要部を示す拡大斜視図である。
【図４】本実施例の要部を示す側面図である。
【図５】本実施例の雪の処理方法を説明する断面図である。
【図６】本実施例の雪の処理方法を説明する断面図である。
【図７】本実施例の雪の処理方法を説明する断面図である。
【図８】本実施例の雪の処理方法を説明する断面図である。
【発明を実施するための形態】
【００２３】
好適と考える本発明の実施形態を、図面に基づいて本発明の作用を示して簡単に説明する。
【００２４】
本発明者は、種々の実験・研究を繰り返し行った結果、例えばゴルフ場の場合、雪２が降った後でも芝生１の先端部が露出すれば雪２が目立たなくなり、プレーが可能となること（薄く積もった雪２であっても芝生１が露出していないと遠目からはその芝生領域Ｌが白く見えてしまうが、芝生１を露出させると白く見えにくくなる。）、また、薄く積もった雪２から露出させた芝生１の先端部に日差しが当たることで、芝生１は熱を持って該芝生１の周囲から雪２が迅速に解けることを見い出し、本発明を完成させた。
【００２５】
即ち、芝生１を覆うように雪２が積もった芝生領域Ｌに、下面に多数の突起３を設けた面状体４を移動車５で牽引して引き摺り移動させ、積もった雪２によって倒れている芝生１を突起３で掻き起こし、芝生１上を覆っていた雪２を芝生１の根元側へ落とし、芝生１の先端部を露出させると、雪２が目立たなくなり、しかも、雪２から露出した芝生１の先端部に日差しが当たり、芝生１は熱を持ち、よって、芝生１の周囲から雪２が迅速に解けることになる。
【００２６】
従って、本発明は、移動車５により面状体４を引き摺り移動させるだけで広い芝生領域Ｌでも簡易且つ迅速に雪２を処理することができ、例えば、ゴルフ場における雪２の積もった芝生領域Ｌの雪の処理としては非常に有効である。即ち、ゴルフ場では、芝生１に雪２が覆うように積もり、遠目から白く見える場合、従来であれば、プレーができないと判断し、プレーが不可能でないにもかかわらずクローズとなったりしていたが、本発明の処理を施すことでこの問題は解消することができる。
【実施例】
【００２７】
本発明の具体的な実施例について図面に基づいて説明する。
【００２８】
本実施例では、芝生１を覆うように積もった雪２の処理方法であって、雪２が積もった芝生領域Ｌに、移動車５（バギー）により雪処理具としての面状体４を牽引して引き摺り移動させて処理するものである。尚、本実施例では、芝生領域Ｌとしてゴルフ場の芝生領域を採用したが、例えば野球場やサッカー場や公園などの芝生１が植生された芝生領域Ｌであれば適宜採用し得るものである。
【００２９】
面状体４は、図２〜４に図示したように適宜な合成樹脂製の部材で形成した平面視方形状のマット形状体であり、この面状体４の一端部にして牽引移動方向の先端部は肉厚状に設けられ、この先端部には移動車５に連結する連結部７が設けられている。
【００３０】
この連結部７は、図２に図示したように適宜な金属製の棒状部材７をインサート成形して構成されており、この棒状部材７の左右両端部７ａを面状体４の左右端部から突出状態に設けて、移動車５の後部から延設される牽引ロープ８に連結するように構成されている。尚、連結部７は面状体４を連結する際に合成樹脂製の突状部を一体成形して構成しても良い。
【００３１】
また、面状体４の下面には多数の突起３が点在して設けられており、後述する孔部６の周囲に突設されている。
【００３２】
この突起３は、図３に図示したように先端部に先細り部３ａを有するピン形状に形成されており、面状体４の牽引移動方向の先端部に設けられる突起３の高さは、後端部に設けられる突起３の高さよりも高く設定されている。
【００３３】
具体的には、本実施例では、図４に図示したように突起３は先端部から後端部にかけて徐々に高さが低くなるように設定されており、最先端部の突起３の高さは約５ｃｍ、最後端部の突起３の高さは２ｃｍに設定されている。尚、突起３の高さは芝生１の草丈（およそ２ｃｍから４ｃｍ）を考慮して設定しているが、適宜変更し得るものである。
【００３４】
従って、面状体４を引き摺り移動させた際、面状体４の先端部が上向き状態である為、この面状体４の先端部が雪へ潜り込んで該雪２を多量に抱え込んでしまうことを防止することができる。
【００３５】
孔部６は、図３に図示したように面状体４に多数点在して設けられており、面状体４の上下面部に貫通状態に設けられ平面視円形状に形成されている。
【００３６】
この孔部６は、面状体４を引き摺り移動させて突起３で芝生１を掻き起した際、芝生１を覆うように積もった雪２にして芝生１の根元側に落ちきらない余剰の雪２を面状体４の上面部に排出するためのものである。
【００３７】
以上の構成から成る雪処理具（面状体４）を用いた芝生１を覆うように積もった雪２の処理方法について説明する。
【００３８】
図１に図示したように移動車５の牽引ロープ８に連結部７を連結し、この状態で移動車５を走行させて面状体４を積雪のある芝生領域Ｌを引き摺り移動させると、積もった雪２によって倒れている芝生１を突起３で掻き起こし、芝生１を覆っていた雪２は芝生１の根元側（芝生１の根元部分や隣接する芝生１同士間）へ落ちる（図５，６参照）。この際、芝生１の根元側に落ちきらなかった雪２は孔部６から面状体４の上面部に排出される。この面状体４の上面部に排出された雪２のうち、軽くて細かい雪２は面状体４の後方に飛散して芝生１の根元側に落ち、面状体４の上面部に付着して塊となる雪２は、ある程度溜まった時点で移動車５を止めて面状体４を起こして邪魔にならない場所で廃棄する。
【００３９】
このように芝生１の根元側へ雪２が落ちて芝生１の先端部が露出することで雪２が目立たなくなる（遠目から見るともはや雪２が無いように見える。）。
【００４０】
その後、雪２から露出させた芝生１の先端部に日差しが当たることで、芝生１は熱を持って該芝生１の根元の周囲から雪２が迅速に解ける（図７，８参照）。尚、本発明者が行った実験によると、気温が比較的低くても、太陽光が強く当たることで芝生１の周囲の雪２が良好に消えることを確認している。
【００４１】
本実施例は上述のように構成したから、移動車５により面状体４を引き摺り移動させるだけで広い芝生領域Ｌでも簡易且つ迅速に雪２を処理することができる。
【００４２】
また、本実施例は、面状体４の牽引移動方向の先端部に設けられる突起３の高さは、後端部に設けられる突起３の高さよりも高く設定されているから、面状体４の先端部で多量の雪２を抱き込むことが防止され、より確実に芝生１を掻き起こして処理することができる。
【００４３】
また、本実施例は、面状体４には上下面部に貫通する孔部６が設けられているから、余剰の雪２を面状体４の上面部に排出することができ、より確実に芝生１を掻き起こして処理することができる。
【００４４】
また、本実施例は、面状体４は合成樹脂製であるから、コスト安にして量産性に秀れることになる。
【００４５】
尚、本発明は、本実施例に限られるものではなく、各構成要件の具体的構成は適宜設計し得るものである。
【符号の説明】
【００４６】
Ｌ  芝生領域
１  芝生
２  雪
３  突起
４  面状体
５  移動車
６  孔部
７  連結部
【図１】
2014198977.tif 000003
【図２】
2014198977.tif 000004
【図３】
2014198977.tif 000005
【図４】
2014198977.tif 000006
【図５】
2014198977.tif 000007
【図６】
2014198977.tif 000008
【図７】
2014198977.tif 000009
【図８】
2014198977.tif 000010